(57)【特許請求の範囲】
【請求項１】
ゴム又は合成ゴム等の弾性チューブから成る中空の円環体であって、該環体内に点滴注射液を充填し、該環体の中心の孔部を人体の頭部へ嵌着できるように構成するとともに、上記環体の外周面の一箇所に点滴セットの針体が接続される栓体を設け、該栓体とは反対側の外周面に懸吊手段として孔付耳部を設けたことを特徴とする点滴注射液封入環。
【発明の詳細な説明】
【０００１】
【発明の属する技術分野】
この発明は点滴注射液封入環に関するものであり、特に、点滴注射液を封入した環体を頭部に嵌着できるようにした点滴注射液封入環に関するものである。
【０００２】
【従来の技術】
従来、点滴セットの使用に際しては、点滴注射液を封入したボトルを点滴用スタンドの上部に懸吊し、該ボトルに点滴セットを連結して患者に点滴注射している。上記従来例は点滴注射液の容器がボトルであるため、このボトルは前述せる如く点滴用スタンドの上部に懸吊し、そして、このボトルに点滴セットを連結して点滴注射しなければならないので、患者が移動しようとしても点滴用スタンドと共に移動せねばならない。即ち、点滴注射中の患者が入浴する際、或いは用便するような場合、又は散歩する際等に於ては、この点滴用スタンドも患者の移動に追随して常時携行して移動せねばならないので極めて不便である。或いは緊急時に於て点滴用スタンドを備えていない場合は点滴注射ができない等の不具合がある。これらの不便を解消するための技術としては、輸液バッグに人体の頭部へ装着できる長さ調節可能なベルト式ヘッドギア部を設けた点滴装置が知られている（特開平08-317962号公報）。また、帽子の背面部に点滴薬剤容器を吊下げるためのフックと、点滴薬剤容器を収容するためのポケットとを設け、点滴薬剤容器を人体の頭部で支持できるようにした帽子も知られている（登録実用新案第3016986号公報）。
【０００３】
【発明が解決しようとする課題】
点滴用の輸液バッグを人体の頭部へ装着できるようにすれば、点滴注射中の患者が病床を離れて移動する際に、点滴用スタンドが不要となって移動に便利であるが、薬液を充填した輸液バッグを頭部で支持する関係上、人体の動作の自由度や保持安定性、取扱いの容易性などに留意すべき点が多々ある。
【０００４】
そこで、本発明は、点滴用の輸液バッグを人体の頭部へ装着でき、取扱いが容易で患者の負担にならない装置を提供することを目的とするものである。
【０００５】
【課題を解決するための手段】
この発明は上記目的を達成するために提案せられたものであり、ゴム又は合成ゴム等の弾性チューブから成る中空の円環体であって、該環体内に点滴注射液を充填し、該環体の中心の孔部を人体の頭部へ嵌着できるように構成するとともに、上記環体の外周面の一箇所に点滴セットの針体が接続される栓体を設け、該栓体とは反対側の外周面に懸吊手段として孔付耳部を設けたことを特徴とする点滴注射液封入環を提供するものである。
【０００６】
【発明の実施の形態】
以下、この発明を図１乃至図４に従って詳述する。図１は本発明の点滴注射液封入環１の平面図であり、図２は図１のＡ−Ａ線断面図である。該点滴注射液封入環１は中心部に孔部１ａを有してドーナツ状に形成されている。而して、該孔部１ａは図４に示すように患者の頭部に嵌着できるように形成されるのであるが、該点滴注射液封入環１はゴム又は合成ゴム等より成る弾性体にて形成されるときは、頭部に嵌着される該点滴注射液封入環１が該頭部より不慮妄脱するようなことはなく、患者は安心して点滴注射し乍ら病床を離れることができる。
【０００７】
又、該点滴注射液封入環１は円環状に限らず楕円形状のものであってもよい。更に、該点滴注射液封入環１の一端部には耳部１ｂが突設されており、そして、該耳部１ｂに懸吊用孔２が開穿されている。該耳部１ｂの反対側は栓体４にて封止され、この栓体４に点滴セット３の上流側に設けた針体５を突刺し、そして、該針体５を介して該点滴注射液封入環１内に封入されている点滴注射液６を該点滴セット３側に流下させることにより、該点滴セット３の下流側の注射針７にて患者に点滴注射することができるように構成されている。
【０００８】
この発明の一実施の形態は上述せる如き構成に係るから、この点滴注射液封入環１を用いて点滴注射する際は、図３に示す如く、従来と同様に点滴用スタンド８の上部アーム８ａの先端部に前記耳部１ｂに設けた懸吊用孔２を介して該点滴注射液封入環１を懸吊し、該点滴注射液封入環１に点滴セット３を結合して点滴注射を持続することができることは当然である。従って、点滴注射中の患者が病床にある場合は従来と同様に点滴用スタンドを用いて点滴注射することができる。
【０００９】
而して、点滴注射中の患者が入浴しようとする際、或いは用便するとき、又は散歩しようとする際には図４に示す如く、該点滴注射液封入環１の中心部の孔部１ａに頭部を嵌入して該頭部に該点滴注射液封入環１を嵌着し、そして、該点滴注射液封入環１の前記栓体４に点滴セット３の上流側の針体５を突刺して該点滴注射液封入環１内の点滴注射液６を該点滴セット３側に流下せしめ、下流側の注射針７を介して点滴注射を持続し乍ら患者は病床を離れて目的地に移動することが可能となる。
【００１０】
尚、本発明は、本発明の精神を逸脱しない限り種々の改変を為すことができ、そして、本発明が該改変されたものに及ぶことは当然である。
【００１１】
【発明の効果】
この発明は上記一実施の形態にて詳述せる如く、点滴注射液封入環は中空ドーナツ状に形成されているため、点滴注射中の患者が病床を離れて散歩したり、或いは用便に行ったり、又は入浴しようとする際等に於ては、該点滴注射液封入環の中心部に設けられている孔部を患者の頭部に嵌着し、そして、該点滴注射液封入環に設けられている栓体に点滴セットの上流側の針体を突刺することにより従来と同様に点滴注射を為すことが可能となる。依って、従来必ず用いていた点滴用スタンドは不要となるので、患者の両手の自由を確保でき極めて有益となり、更に又、点滴用スタンドが無い場合であって、緊急に点滴注射を必要とする患者が発生した場合に於ても簡単に点滴注射液封入環を頭部に嵌着できるので極めて便利である。
【００１２】
又、点滴注射液封入環は人体の頭部を取り巻く形であるので、内部の薬液量に関わらず、頭部を中心とした前後左右の重量バランスは殆ど変わらないので、人体の動作の妨げにならず、使用感がよい。更に又、該点滴注射液封入環の前記栓体の反対側に懸吊用孔を設けているので、該懸吊用孔を用いて従来と同様に点滴用スタンドに該点滴注射液封入環を懸吊させて点滴注射することもできる。依って、患者が病床にある場合であっても、従来のボトルを用いないで本発明の点滴注射液封入環を点滴用スタンドに懸吊させて点滴注射することができるので、本発明の点滴注射液封入環は極めて有益である。
【図面の簡単な説明】
【図１】本発明の一実施の形態を示す点滴注射液封入環の平面図。
【図２】図１のＡ−Ａ線断面図。
【図３】図１の点滴注射液封入環を従来の点滴用スタンドを用いて点滴注射する場合の斜面図。
【図４】図１の点滴注射液封入環を頭部に嵌着して点滴注射する場合の斜面図。
【符号の説明】
１          点滴注射液封入環
１ａ        孔部
１ｂ        耳部
２          懸吊用孔
３          点滴セット
４          栓体
５          針体
６          点滴注射液
７          注射針
【図１】
0003828227.tif 000002
【図２】
0003828227.tif 000003
【図３】
0003828227.tif 000004
【図４】
0003828227.tif 000005